(57)【要約】【課題】複数の部材等を重ねて固定する場合に外観を損ねることのない締結装置およびこれを用いた遊技台を提供する。【解決手段】締結装置５００は、重ねられた第１の部材２００および第２の部材２１０を、両側から締結する締結装置であって、ねじ穴部を備える第１の固定部材５１０と、ねじ穴部と螺合するおねじ部を備える第２の固定部材５２０と、からなり、第１の固定部材５１０は、自身の第１の部材２００または第２の部材２１０に対する回転を防止する第１の回転防止形状を備え、第１の部材２００に形成された第１の孔２０２および第２の部材２１０に形成された第２の孔２１２に挿入され、第１の孔２０２および第２の孔２１２の少なくとも一方は、第１の回転防止形状に対応する第２の回転防止形状を備える。【選択図】図２
2008295508.tif 000002
【特許請求の範囲】
【請求項１】
重ねられた第１の部材および第２の部材を、両側から締結する締結装置であって、
ねじ穴部を備える第１の固定部材と、
前記ねじ穴部と螺合するおねじ部を備える第２の固定部材と、からなり、
前記第１の固定部材は、自身の前記第１の部材または前記第２の部材に対する回転を防止する第１の回転防止形状を備え、前記第１の部材に形成された第１の孔および前記第２の部材に形成された第２の孔に挿入され、
前記第１の孔および前記第２の孔の少なくとも一方は、前記第１の回転防止形状に対応する第２の回転防止形状を備えることを特徴とする、
締結装置。
【請求項２】
前記第１の回転防止形状は、前記第２の回転防止形状の相補的形状であり、第２の回転防止形状内に嵌合することを特徴とする、
請求項１に記載の締結装置。
【請求項３】
前記第１の固定部材は、胴部と、前記胴部の一端に設けられて前記胴部より幅広の頭部と、からなり、
前記第２の固定部材は、前記頭部の反対側から前記胴部と螺合し、
前記頭部の外側端面は、前記第１の部材または前記第２の部材のうち前記頭部側に位置する方の表面と同一平面上に位置することを特徴とする、
請求項１または２に記載の締結装置。
【請求項４】
前記第１の回転防止形状は、前記胴部に形成されていることを特徴とする、
請求項３に記載の締結装置。
【請求項５】
前記第１の回転防止形状は、前記頭部に形成されていることを特徴とする、
請求項３に記載の締結装置。
【請求項６】
前記第１の固定部材のねじ穴部は、前記第２の固定部材が自身の内部にねじ込まれることによってめねじが形成されることを特徴とする、
請求項１乃至５のいずれかに記載の締結装置。
【請求項７】
前記第１の固定部材は、樹脂からなることを特徴とする、
請求項１乃至６のいずれかに記載の締結装置。
【請求項８】
前記第１の固定部材は、前記第１の部材または前記第２の部材と溶着する溶着部を備えることを特徴とする、
請求項１乃至７のいずれかに記載の締結装置。
【請求項９】
前記第１の固定部材は、前記第１の部材または前記第２の部材と同一の色彩、模様または表面処理が施されていることを特徴とする、
請求項１乃至８のいずれかに記載の締結装置。
【請求項１０】
前記第１の部材は、光を透過する素材からなることを特徴とする、
請求項１乃至９のいずれかに記載の締結装置。
【請求項１１】
請求項１乃至１０のいずれかに記載の締結装置を備え、
前記第１の固定部材は、遊技者が視認可能な位置に配設され、
前記第２の固定部材は、遊技台の内側から前記第１の固定部材と螺合していることを特徴とする、
遊技台。
【請求項１２】
複数種類の図柄が施された複数のリールと、
前記複数のリールの回転を開始させるスタートスイッチと、
前記複数のリールにそれぞれ対応して設けられ、前記複数のリールの回転を個別に停止させるストップスイッチと、
予め定められた複数種類の入賞役の内部当選の当否を抽選により判定する抽選手段と、
停止時の前記複数のリールにより表示された図柄の組合せが前記抽選手段により内部当選した入賞役の図柄組み合わせであるか否かによって、前記入賞役の入賞を判定する判定手段と、を備えるスロットマシンであることを特徴とする、
請求項１１に記載の遊技台。
【請求項１３】
所定の入賞口を有する遊技領域を備え、
前記所定の入賞口に遊技球が入球することによって、遊技者に所定の特典を与えることを特徴とする、
請求項１１に記載の遊技台。
【発明の詳細な説明】
【技術分野】
【０００１】
本発明は複数の部材を重ねて固定する締結装置およびこの締結装置を用いた遊技台に関する。
【背景技術】
【０００２】
従来、遊技台等において表示装置等にカバー等を固定する場合には、カバー等に取付支柱を設け、この取付支柱を表示装置等に設けられた取付管に嵌挿させて、表示装置等の裏側からビス等により固定するという方法が採用されていた（例えば、特許文献１参照）。
【特許文献１】特開平１１−１８８１６５号公報
【発明の開示】
【発明が解決しようとする課題】
【０００３】
しかしながら、上記固定方法では、カバー等の素材が透明または半透明の樹脂等である場合には、外部から取り付け支柱やビスが視認可能となるため、外観を損ねるという問題があった。
【０００４】
本発明は、このような問題点を解決するためになされたものであって、複数の部材等を重ねて固定する場合に外観を損ねることのない締結装置およびこれを用いた遊技台を提供しようとするものである。
【課題を解決するための手段】
【０００５】
（１）本発明は、重ねられた第１の部材および第２の部材を、両側から締結する締結装置であって、ねじ穴部を備える第１の固定部材と、前記ねじ穴部と螺合するおねじ部を備える第２の固定部材と、からなり、前記第１の固定部材は、自身の前記第１の部材または前記第２の部材に対する回転を防止する第１の回転防止形状を備え、前記第１の部材に形成された第１の孔および前記第２の部材に形成された第２の孔に挿入され、前記第１の孔および前記第２の孔の少なくとも一方は、前記第１の回転防止形状に対応する第２の回転防止形状を備えることを特徴とする、締結装置である。
【０００６】
（２）本発明はまた、前記第１の回転防止形状は、前記第２の回転防止形状の相補的形状であり、第２の回転防止形状内に嵌合することを特徴とする、上記（１）に記載の締結装置である。
【０００７】
（３）本発明はまた、前記第１の固定部材は、胴部と、前記胴部の一端に設けられて前記胴部より幅広の頭部と、からなり、前記第２の固定部材は、前記頭部の反対側から前記胴部と螺合し、前記頭部の外側端面は、前記第１の部材または前記第２の部材のうち前記頭部側に位置する方の表面と同一平面上に位置することを特徴とする、上記（１）または（２）に記載の締結装置である。
【０００８】
（４）本発明はまた、前記第１の回転防止形状は、前記胴部に形成されていることを特徴とする、上記（３）に記載の締結装置である。
【０００９】
（５）本発明はまた、前記第１の回転防止形状は、前記頭部に形成されていることを特徴とする、上記（３）に記載の締結装置である。
【００１０】
（６）本発明はまた、前記第１の固定部材のねじ穴部は、前記第２の固定部材が自身の内部にねじ込まれることによってめねじが形成されることを特徴とする、上記（１）乃至（５）のいずれかに記載の締結装置である。
【００１１】
（７）本発明はまた、前記第１の固定部材は、樹脂からなることを特徴とする、
【００１２】
上記（１）乃至（６）のいずれかに記載の締結装置である。
【００１３】
（８）本発明はまた、前記第１の固定部材は、前記第１の部材または前記第２の部材と溶着する溶着部を備えることを特徴とする、上記（１）乃至（７）のいずれかに記載の締結装置である。
【００１４】
（９）本発明はまた、前記第１の固定部材は、前記第１の部材または前記第２の部材と同一の色彩、模様または表面処理が施されていることを特徴とする、上記（１）乃至（８）のいずれかに記載の締結装置である。
【００１５】
（１０）本発明はまた、前記第１の部材は、光を透過する素材からなることを特徴とする、上記（１）乃至（９）のいずれかに記載の締結装置である。
【００１６】
（１１）本発明はまた、上記（１）乃至（１０）のいずれかに記載の締結装置を備え、前記第１の固定部材は、遊技者が視認可能な位置に配設され、前記第２の固定部材は、遊技台の内側から前記第１の固定部材と螺合していることを特徴とする、遊技台である。
【００１７】
（１２）本発明はまた、複数種類の図柄が施された複数のリールと、前記複数のリールの回転を開始させるスタートスイッチと、前記複数のリールにそれぞれ対応して設けられ、前記複数のリールの回転を個別に停止させるストップスイッチと、予め定められた複数種類の入賞役の内部当選の当否を抽選により判定する抽選手段と、停止時の前記複数のリールにより表示された図柄の組合せが前記抽選手段により内部当選した入賞役の図柄組み合わせであるか否かによって、前記入賞役の入賞を判定する判定手段と、を備えるスロットマシンであることを特徴とする、上記（１１）に記載の遊技台である。
【００１８】
（１３）本発明はまた、所定の入賞口を有する遊技領域を備え、前記所定の入賞口に遊技球が入球することによって、遊技者に所定の特典を与えることを特徴とする、上記（１１）に記載の遊技台である。
【発明の効果】
【００１９】
本発明に係る締結装置およびこれを用いた遊技台によれば、外観を損ねることなく複数の部材等を締結できるという優れた効果を奏し得る。
【発明を実施するための最良の形態】
【００２０】
以下、図面を用いて、本発明の実施例１に係る締結装置およびスロットマシン（遊技台）について詳細に説明する。
【実施例１】
【００２１】
図１は、本発明の実施例１に係るスロットマシン１００の外観斜視図である。スロットマシン１００は、メダルの投入により遊技が開始され、遊技の結果によりメダルが払い出されるものである。
【００２２】
＜全体構成＞
【００２３】
スロットマシン１００は、図１に示されるように、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０〜１１２は図示しないステッピングモータ等の駆動手段により回転駆動される。
【００２４】
本実施例において、各図柄は帯状部材に等間隔で適当数印刷され、この帯状部材が所定の円形筒状の枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。つまり、各リール１１０〜１１２は複数種類の図柄の組合せを変動可能に表示する表示手段として機能する。なお、このような表示手段としてはリール以外にも液晶表示装置等の電子画像表示装置も採用できる。また、本実施例では、３個のリールをスロットマシン１００の中央内部に備えているが、リールの数やリールの設置位置はこれに限定されるものではない。
【００２５】
各リール１１０〜１１２には、複数種類の図柄が所定コマ数（本実施例では２１コマ）だけ配置されている。なお、図柄は、ある図柄と他の図柄とを識別可能な識別子であれば如何なるものも採用でき、数字、英字、図形、イラスト、等が採用可能である。
【００２６】
各々のリール１１０〜１１２の背面には、図柄表示窓１１３に表示される個々の図柄を照明するためのバックライト（図１において図示省略）が配置されている。バックライトは、各々の図柄ごとに遮蔽されて個々の図柄を均等に照射できるようにすることが望ましい。なお、スロットマシン１００内部において各々のリール１１０〜１１２の近傍には、投光部と受光部から成る光学式センサ（図示せず）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０〜１１２を停止させる。
【００２７】
入賞ライン表示ランプ１２０は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではない。
【００２８】
告知ランプ１２１は、例えば、後述する内部抽選において、特定の入賞役（具体的には、ボーナス）に内部当選していることを遊技者に知らせるランプである。スタートランプ１２２は、リール１１０〜１１２が回転することができる状態にあることを遊技者に知らせるランプである。再遊技ランプ１２３は、前回の遊技において入賞役の一つである再遊技に入賞した場合に、今回の遊技が再遊技可能であること（メダルの投入が不要）を遊技者に知らせるランプである。リールパネルランプ１２４は演出用のランプである。
【００２９】
ベットボタン１３０〜１３２は、スロットマシン１００に電子的に貯留されているメダル（クレジットという。）を所定の枚数分投入するためのボタンである。本実施例においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。
【００３０】
メダル投入口１４１は、遊技を開始するに当たって遊技者がメダルを投入するための投入口である。すなわち、メダルの投入は、ベットボタン１３０〜１３３により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。表示器１２６は、各種の内部情報を数値で表示するための表示器である。払出枚数表示器１２７は、何らかの入賞役に入賞した結果、遊技者に払出されるメダルの枚数を表示するための表示器である。
【００３１】
スタートレバー１３５は、リール１１０〜１１２の回転を開始させるためのレバー型のスイッチである。即ち、メダル投入口１４１に所望するメダル枚数を投入するか、ベットボタン１３０〜１３２を操作して、スタートレバー１３５を操作すると、リール１１０〜１１２が回転を開始することとなる。以下、スタートレバー１３５に対する操作を遊技の開始操作と言う。
【００３２】
ストップボタンユニット１３６には、ストップボタン１３７〜１３９が設けられている。ストップボタン１３７〜１３９は、スタートレバー１３５の操作によって回転を開始したリール１１０〜１１２を個別に停止させるためのボタン型のスイッチであり、各リール１１０〜１１２に対応づけられている。以下、ストップボタン１３７〜１３９に対する操作を停止操作と言い、最初の停止操作を第１停止操作、次の停止操作を第２停止操作、最後の停止操作を第３停止操作という。なお、各ストップボタン１３７〜１３９の内部に発光体を設けてもよく、ストップボタン１３７〜１３９の操作が可能である場合、該発光体を点灯させて遊技者に知らせることもできる。
【００３３】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１４２から排出するためのボタンである。ドアキー１４０は、スロットマシン１００の前面扉１０２のロックを解除するためのキーを挿入する孔である。メダル払出口１４２は、メダルを払出すための払出口である。
【００３４】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置Ａが配設されている。
【００３５】
＜演出装置Ａ＞
【００３６】
次に、演出装置Ａについて説明する。図２は、演出装置Ａの分解斜視図である。演出装置Ａは、化粧パネル２００と、化粧パネル２００が正面に装着されるカバー部材２１０と、カバー部材２１０によって覆われる液晶表示パネル（以下、ＬＣＤ）２２０およびスピーカユニット２３０と、を備える。
【００３７】
化粧パネル２００は、光を透過する透明または半透明の素材からなり、演出装置Ａの外観を装飾するためのものである。また、カバー部材２１０は、表面にメッキ等の表面処理が施されており、化粧パネル２００と同様に演出装置Ａの外観を装飾するためのものである。
【００３８】
これらの化粧パネル２００及びカバー部材２１０は、その正面にＬＣＤ２２０の表示画面２２０ａの大きさと略同じ大きさの開口部が設けられている。演出装置Ａを正面から見た場合、この開口部を介してＬＣＤ２２０の表示画面２２０ａの略全域が見える一方、表示画面２２０ａ以外のＬＣＤ２２０の周縁部分は見えないように化粧パネル２００及びカバー部材２１０に隠蔽される。すなわち、化粧パネル２００及びカバー部材２１０は隠蔽部材としても機能する。
【００３９】
さらに、化粧パネル２００及びカバー部材２１０には、その左右上部にそれぞれ音孔２００ａ、２１０ａが形成されており、左右一対のスピーカユニット２３０は音孔２１０ａの背後に配設されている。スピーカユニット２３０から出力される音は音孔２００ａ、２１０ａからスロットマシン１００の正面へ伝播することになる。スピーカユニット２３０はＬＣＤ２２０とカバー部材２１０との隙間部分に配設されている。当該隙間部分をスピーカユニット２３０の配設空間として利用することにより、スロットマシン１００におけるスピーカの配設レイアウト性を向上することができる。
【００４０】
ＬＣＤ２２０はその外形がパネル状（直方体形状）をなすと共に、その正面に方形の表示画面２２０ａが形成された電子画像の表示ユニットである。本実施例では電子画像の表示ユニットとして液晶表示装置を用いるが、他の電子画像の表示装置も適用可能である。
【００４１】
本実施例では、化粧パネル２００をカバー部材２１０に固定するのに、本発明に係る締結装置５００を使用している。締結装置５００は、図２に示されるように、第１の固定部材５１０および第２の固定部材５２０とからなり、化粧パネル２００の角部近傍の４箇所において、化粧パネル２００とカバー部材２１０を締結している。締結装置５００の詳細については、後述する。
【００４２】
＜制御部＞
【００４３】
次に、図３および図４を参照してスロットマシン１００の制御部の回路構成について詳細に説明する。スロットマシン１００の制御部は、大別すると、遊技の中枢部分を制御する主制御部３００と、主制御部３００から送信されるコマンドに応じて各種デバイスを制御する副制御部４００と、副制御部４００から送信されるコマンドに応じて演出装置Ａを制御する演出装置制御部４９０と、から構成されている。
【００４４】
＜主制御部＞
【００４５】
まず、図３を参照してスロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００４６】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００４７】
また、ＣＰＵ３１０には、後述するセンサやスイッチの状態を常時監視するための監視周期やリールを回転駆動するモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００４８】
また、ＣＰＵ３１０には、各ＩＣを制御するためのプログラム、入賞役の内部抽選時に用いる抽選データ、リールの停止制御データ等の各種データを記憶しているＲＯＭ３１２や、一時的なデータを保存するためのＲＡＭ３１３が接続されている。ＲＡＭ３１３は、遊技者が所有するメダルをその投入操作によって電子的にクレジットとして貯留するために、該クレジットの数を記憶する記憶手段としても機能する。これらのＲＯＭ３１２やＲＡＭ３１３については他の記憶手段を用いてもよく、この点は後述する副制御部４００、演出装置制御部４９０においても同様である。
【００４９】
また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算スイッチ３２４、メダル払出センサ３２６の状態を検出し、各センサを監視している。
【００５０】
メダル投入センサ３２０は、メダル投入口１４１に通じる通路に２個設置されており、メダルの通過有無を検出する。スタートレバーセンサ３２１は、スタートレバー１３５に設置されており、遊技者によるスタート操作を検出する。ストップボタンセンサ３２２は、各々のストップボタン１３７〜１３９に設置されており、遊技者によるストップボタンの操作を検出する。メダル投入ボタンセンサ３２３は、ベットボタン１３０〜１３２のそれぞれに設置されており、これらに対する遊技者の操作を検出する。精算スイッチ３２４は、精算ボタン１３４に対する操作を検出し、精算ボタン１３４が一回押されると、精算可能なメダルが払い出されることになる。本実施例では、精算可能なメダルとは、貯留されているメダルとベットされているメダルの双方であるが、貯留されているメダルのみとしてもよい。メダル払出センサ３２６は、メダル払い出し口１４２から払い出されるメダルを検出するためのセンサである。なお、以上の各センサは、非接触式のセンサであってもよいし、接点式のセンサであってもよい。
【００５１】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。
【００５２】
出力インタフェース３７０には、リールを回転駆動するステッピングモータ等を駆動させるためのリールモータ駆動部３３０と、ホッパー（バケットにたまっているメダルをメダル払出口１４２から払出すための装置。図示せず。）のモータを駆動するためのホッパーモータ駆動部３３１と、遊技ランプ３４０（入賞ライン表示ランプ１２０、告知ランプ１２１、スタートランプ１２２、再遊技ランプ１２３、リールパネルランプ１２４等）と、７セグメント表示器３４１（貯留枚数表示器１２５、表示器１２６、払出枚数表示器１２７等）が接続されている。
【００５３】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。本実施例における乱数発生回路３１７は、２つの乱数カウンタを備えている。ＣＰＵ３１０のデータバスには、副制御部４００にコマンドを送信するための出力インタフェース３７１が接続されている。
【００５４】
＜副制御部＞
【００５５】
次に、図４を参照してスロットマシン１００の副制御部４００について説明する。副制御部４００は、主制御部３００より送信されたコマンドに基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。タイマ回路４１５は複数設けることができる。
【００５６】
また、ＣＰＵ４１０には、副制御部４００の全体を制御するための命令及びデータ、バックライトの点灯パターンや演出パターンの選択用のデータ、各種表示器を制御するためのデータが記憶されたＲＯＭ４１２や、データ等を一時的に保存するためのＲＡＭ４１３が各バスを介して接続されている。また、ＣＰＵ４１０には、外部の信号を送受信するための入出力インタフェース４６０が接続されており、入出力インタフェース４６０には、各リール１１０〜１１２の図柄を背面より照明するためのバックライト４２０、前面扉１０２の開閉を検出するための扉センサ４２１、ＲＡＭ４１３のデータをクリアにするためのリセットスイッチ４２２が接続されている。
【００５７】
ＣＰＵ４１０には、データバスを介して主制御部３００からコマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。スピーカ４８３には音孔１４３の背後に設けられたスピーカや、演出装置Ａのスピーカユニット２３０のスピーカが含まれる。
【００５８】
ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２が接続されている。
【００５９】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて演出ランプ４２４（サイドランプ１４４等）、メダル払出口１４２を内側から閃光にて照明する払出口ストロボ４２５を制御する。なお、ＣＰＵ４１０は、演出装置制御部４９０へのコマンド送信はデマルチプレクサ４１９を介して実施する。
【００６０】
＜締結装置＞
【００６１】
次に、締結装置５００について説明する。まず、図２に示されるように、締結装置５００は、第１の固定部材５１０および第２の固定部材５２０からなる。
【００６２】
第１の固定部材５１０は、内周面にめねじが形成された有底の筒状の部材であり、ナットとしての機能を備えている。本実施例では、第１の固定部材５１０の素材として、樹脂が使用されているが、第１の固定部材５１０の素材はこれに限定されるものではなく、金属等の他の素材を使用してもよい。
【００６３】
第２の固定部材５２０は、外周面に第１の固定部材５１０のめねじと螺合するおねじが形成された略棒状の胴部（おねじ部）と、胴部より大径の頭部からなるボルトまたはビス等である。第２の固定部材５２０の頭部には、六角柱または十字穴、六角穴もしくはすりわり等が形成されており、各種レンチやねじ回し等により回転させられて、第１の固定部材５１０と螺合するようになっている。
【００６４】
本実施例では、化粧パネル２００の４つの角部近傍にそれぞれ第１の孔２０２が形成され、カバー部材２１０の第１の孔２０２に対応する部分に４つの第２の孔２１２が形成されている。そして、第１の固定部材５１０は、正面側から第１の孔２０２および第２の孔２１２に挿入され、第２の固定部材５２０は、背面側から第２の孔に挿入されて第１の固定部材と螺合している。すなわち、締結装置５００は、重ねられた化粧パネル２００およびカバー部材２１０を、第１の孔２０２および第２の孔２１２を介して正面および背面から挟んで締結するようになっている。
【００６５】
図５（ａ）は、化粧パネル２００およびカバー部材２１０を背面側から見た分解斜視図である。同図に示されるように、本実施例では、正面側から第１の孔２０２および第２の孔２１２に挿入された第１の固定部材５１０に対して、背面側から第２の固定部材５２０を挿入し、第２の固定部材５２０（図示省略）を頭部の形状に合わせたねじ回しやレンチ等により回転させることで、第１の固定部材５１０に第２の固定部材５２０を螺合させる。
【００６６】
図５（ｂ）は、化粧パネル２００およびカバー部材２１０の正面図であり、図５（ｃ）はその一部を拡大した図である。図５（ｂ）または（ｃ）に示されるように、第１の固定部材５１０の端面は正面に向けて露出している。上記したように第１の固定部材５１０は有底であるため、正面からは、内部で螺合している第２の固定部材５２０が視認されることはなく、第１の固定部材５１０の略平滑な端面のみが視認されるようになっている。
【００６７】
本実施例では、第１の固定部材５１０には、カバー部材２１０と同一の表面処理が施されている。すなわち、第１の固定部材５１０は、透明または半透明の化粧パネル２００を通して視認されるカバー部材２１０と略同一の色彩、模様等を備え、略同一の外観を呈している。従って、演出装置Ａの外観は、スロットマシン１００全体も含めて調和の取れたものであり、すっきりとした見栄えのよいデザインとなっている。なお、化粧パネル２００に不透明な素材を使用した場合には、化粧パネル２００と同一の外観となるような表面処理等を、第１の固定部材５１０の表面に施してもよい。
【００６８】
次に、第１の固定部材５１０、第１の孔２０２および第２の孔２１２の詳細な形状について説明する。図６（ａ）および（ｂ）は、第１の固定部材５１０の斜視図であり、図６（ｃ）は、図２におけるＡ部を拡大した斜視図であり、図６（ｄ）は、図２におけるＢ部を拡大した斜視図であり、図６（ｅ）は、図２におけるＡ部を拡大した正面図であり、図６（ｆ）は、図２におけるＢ部を拡大した正面図である。
【００６９】
第１の固定部材５１０は、図６（ａ）および（ｂ）に示されるように、胴部５１２と、頭部５１４と、ねじ穴部５１６とから構成されている。
【００７０】
胴部５１２は、断面形状が略四角形状の棒状の部分である。この略四角形状の断面形状は、第２の固定部材５２０を第１の固定部材５１０に螺合させるときに、第１の固定部材５１０が、第２の固定部材５２０と共に、化粧パネル２００およびカバー部材２１０に対して回転するのを防ぐための回転防止形状となっている。すなわち、第１の固定部材５１０は、第２の固定部材５２０を第１の固定部材５１０にねじ込んで、化粧パネル２００とカバー部材２１０を締結するときに、第１の固定部材５１０の回転を防止するための工具（例えば、ねじ回し等）を必要としない構成となっている。これにより、スロットマシン１００の組立作業の作業性を向上させることを可能である。
【００７１】
頭部５１４は、胴部５１２の一端に設けられ、胴部５１２より幅広の略円盤状の部分である。頭部５１４の外側端面は、正面に向けて露出する部分であり、頭部５１４の内側端面は、締結時に化粧パネル２００をカバー部材２１０に向けて押圧する部分である。上述のように、第１の固定部材５１０は、ねじ回し等の工具を必要としない構成となっているため、頭部５１４には工具用の十字穴等を形成する必要がない。これにより、頭部５１４の外観をすっきりと見栄えのよいものにすることが可能である。
【００７２】
ねじ穴部５１６は、胴部５１２の頭部５１４の反対側端面から頭部５１４に向けて形成された略円形断面の有底の穴であり、内周面にめねじが形成されている。なお、このねじ穴部５１６のめねじは、予め形成されたものであってもよいし、第２の固定部材５２０に所謂タッピンねじ等を採用して、第２の固定部材５２０がねじ穴部５１６に最初にねじ込まれたときにめねじが形成されるようにしてもよい。すなわち、本発明に係る「ねじ穴部」には、めねじが予め形成されているものと、めねじが予め形成されていないものの両者が含まれる。
【００７３】
第１の孔２０２は、図６（ｃ）または（ｅ）に示されるように、化粧パネル２００の正面から背面まで貫通した孔であり、互いに断面形状および断面積の異なる頭部収容部２０２ａおよび胴部挿通部２０２ｂからなる。
【００７４】
頭部収容部２０２ａは、化粧パネル２００の正面側に形成された円形断面の部分であり、その内径は第１の固定部材５１０の頭部５１４よりもやや大きめに設定されている。すなわち、頭部収容部２０２ａは、第１の固定部材５１０の頭部５１４を内部に収容するようになっている。
【００７５】
胴部挿通部２０２ｂは、化粧パネル２００の背面側に形成された四角形断面の部分であり、第１の固定部材５１０の胴部５１２が挿通される部分である。この胴部挿通部２０２ｂは、第１の固定部材５１０の胴部５１２が略嵌合する断面形状（相補的形状）に設定されている。これにより、胴部挿通部２０２ｂは、第２の固定部材５２０を第１の固定部材５１０に螺合させるときに、第１の固定部材５１０が第２の固定部材５２０と共に、化粧パネル２００およびカバー部材２１０に対して回転するのを防止するようになっている。換言すれば、胴部挿通部２０２ｂは、第１の固定部材５１０の胴部５１２が備える回転防止形状に対応する回転防止形状を備えている。なお、胴部挿通部２０２ｂの断面形状は、第１の固定部材５１０の胴部５１２が略嵌合する形状でなくてもよい。例えば、胴部挿通部２０２ｂの断面形状は、第１の固定部材５１０の胴部５１２を回転させようとしたときに胴部５１２の一部と接触して第１の固定部材５１０の回転を防止する部分を備えた形状（例えば六角形状等）であってもよい。
【００７６】
第２の孔２１２は、図６（ｄ）または（ｆ）に示されるように、カバー部材２１０の正面から背面まで貫通した孔であり、互いに断面形状および断面積の異なる胴部収容部２１２ａおよびおねじ挿通部２１２ｂからなる。
【００７７】
胴部収容部２１２ａは、カバー部材２１０の正面側に形成された四角形断面の部分であり、第１の固定部材５１０の胴部５１２が挿入されて収容される部分である。この胴部収容部２１２ａは、第１の固定部材５１０の胴部５１２が略嵌合する断面形状に設定されている。すなわち、胴部収容部２１２ａは、第１の孔２０２の胴部挿通部２０２ｂと同様の回転防止形状を備え、内部に収容した第１の固定部材５１０の回転を防止する部分である。なお、胴部収容部２１２ａの断面形状は、第１の孔２０２の胴部挿通部２０２ｂと同様に、第１の固定部材５１０の胴部５１２が略嵌合する形状に限定されるものではない。
【００７８】
おねじ挿通部２１２ｂは、カバー部材２１０の背面側に形成された円形断面の部分であり、その内径は第２の固定部材５２０の胴部よりもやや大きめに設定されている。すなわち、おねじ挿通部２１２ｂは、第２の孔２１２の胴部収容部２１２ａに挿入された第１の固定部材５１０のねじ穴部５１６に、カバー部材２１０の背面側からねじ込まれる第２の固定部材５２０の胴部が挿通される部分となっている。
【００７９】
図７は、図５（ｃ）におけるＣ−Ｃ線断面図である。同図に示されるように、第１の固定部材５１０は、胴部５１２が第１の孔２０２の胴部挿通部２０２ｂおよび第２の孔２１２の胴部収容部２１２ａ内に収容されている。このように、第１の固定部材５１０の胴部５１０が、化粧パネル２００およびカバー部材２１０の両方と略嵌合することで、第２の固定部材５２０をねじ込む際の第１の固定部材５１０の回転を、より確実に防止することができる。
【００８０】
また、本実施例のように化粧パネル２００が薄手の部材である場合でも、必要に応じてカバー部材２１０を裏側に突出させることで第１の固定部材５１０の胴部５１２と第２の孔２１２の胴部収容部２１２ａの接触面積を広く取ることが可能である。このようにすることで、第１の固定部材５１０の回転をより確実に防止することに加え、第１の固定部材５１０の胴部、第１の孔２０２の胴部挿通部２０２ｂまたは第２の孔２１２の胴部収容部２１２ａの磨耗や変形等を防止することができる。
【００８１】
さらに、第１の固定部材５１０の胴部５１２を、第１の孔２０２の胴部挿通部２０２ｂおよび第２の孔２１２の胴部収容部２１２ａ内に挿入することで、化粧パネル２００をカバー部材２１０に仮留めすることが可能である。これにより、スロットマシン１００の組立作業の作業性を向上させることができる。
【００８２】
また、本実施例では、第１の固定部材５１０の頭部５１４の外側端面は、化粧パネル２００の表面と略同一平面上に位置するように設定されている。これにより、頭部５１４が化粧パネル２００から突出して、演出装置Ａの外観が損われることを防ぐことができる。
【００８３】
なお、本実施例では、第１の孔２０２の胴部挿通部２０２ｂおよび第２の孔２１２の胴部収容部２１２ａの両方が回転防止形状を備えているが、本発明はこれに限定されるものではなく、第１の孔２０２の胴部挿通部２０２ｂおよび第２の孔２１２の胴部収容部２１２ａのいずれか一方のみが回転防止形状を備えるようにしてもよい。
【００８４】
また、第１の固定部材５１０の胴部５１２の断面形状（回転防止形状）は、略四角形状に限定されるものではない。図８（ａ）〜（ｈ）は、第１の固定部材５１０の胴部５１２のその他の断面形状を示した図である。
【００８５】
図８（ａ）に示されるように、第１の固定部材５１０の胴部５１２の断面形状は略三角形状であってもよいし、図８（ｂ）に示されるように、第１の固定部材５１０の胴部５１２の断面形状は略四角形状であってもよいし、図８（ｃ）に示されるように、第１の固定部材５１０の胴部５１２の断面形状は略六角形状であってもよいし、図８（ｄ）に示されるように、第１の固定部材５１０の胴部５１２の断面形状は略五角形状であってもよい。
【００８６】
また、図８（ｅ）に示されるように、第１の固定部材５１０の胴部５１２の断面形状は五芒性状（五角形の各角部を鋭角にして突出させた星形状）であってもよいし、図８（ｆ）に示されるように、第１の固定部材５１０の胴部５１２の断面形状は略楕円形状であってもよいし、図８（ｇ）に示されるように、第１の固定部材５１０の胴部５１２の断面形状は外周に２つの突出部を備えた円形状であってもよいし、図８（ｈ）に示されるように、第１の固定部材５１０の胴部５１２の断面形状は各辺にそれぞれ突出部を備えた四角形状であってもよい。
【００８７】
以上説明したように、本実施例に係る締結装置５００は、重ねられた第１の部材（本実施例では、化粧パネル）２００および第２の部材（本実施例では、カバー部材）２１０を、両側から締結する締結装置であって、ねじ穴部５１６を備える第１の固定部材５１０と、ねじ穴部５１６と螺合するおねじ部を備える第２の固定部材５２０と、からなり、第１の固定部材５１０は、自身の第１の部材２００または第２の部材２１０に対する回転を防止する第１の回転防止形状（本実施例では、略四角形状の断面形状）を備え、第１の部材２００に形成された第１の孔２０２および第２の部材２１０に形成された第２の孔２１２に挿入され、第１の孔２０２および第２の孔２１２の少なくとも一方は、第１の回転防止形状に対応する第２の回転防止形状（本実施例では、略四角形状の断面形状）を備えるため、工具用の十字溝等を第１の固定部材５１０に形成する必要がなく、第１の固定部材５１０に装飾性やデザイン性を持たせることが可能となり、締結する部材の外観を損ねないようにすることができる。
【００８８】
また、第１の固定部材５１０の任意の位置に第１の回転防止形状を設けることが可能であるため、締結する部材の形状や材質等に合わせた最適な締結装置を実現することができる。
【００８９】
また、第１の孔２０２と第２の孔２１２の両方に、第１の回転防止形状に対応する第２の回転防止形状を備えるようにすれば、より確実に第１の固定部材の回転を防止することが可能となり、さらに、第１の固定部材５１０、第１の孔２０２または第２の孔２１２の磨耗や変形等を防ぐことができる。
【００９０】
また、第１の回転防止形状は、第２の回転防止形状の相補的形状であり、第２の回転防止形状内に嵌合するため、第１の固定部材５１０を第１の部材２００または第２の部材２１０に嵌合させることで、締結作業の作業性を向上させることができる。
【００９１】
また、第１の固定部材５１０は、胴部５１２と、胴部５１２の一端に設けられて胴部５１２より幅広の頭部５１４と、からなり、第２の固定部材５２０は、頭部５１４の反対側から胴部５１２と螺合し、頭部５１４の外側端面は、第１の部材２００または第２の部材２１０のうち頭部５１４側に位置する方の表面と同一平面上に位置するため、部材を締結した場合に装飾性やデザイン性を損ねるような突出部が生じることがなく、締結する部材の外観を損ねないようにすることができる。
【００９２】
また、第１の回転防止形状は、胴部５１２に形成されているため、頭部５１４に装飾性やデザイン性を持たせながらも、胴部５１２において確実に第１の固定部材の回転を防止することができる。
【００９３】
また、第１の固定部材５１０のねじ穴部５１６は、第２の固定部材５２０が自身の内部にねじ込まれることによってめねじが形成されるため、予めめねじを加工する必要がなく、製造コストを低減することができる。
【００９４】
また、第１の固定部材５１０は、樹脂からなるため、装飾性やデザイン性の高い複雑な形状の第１固定部材５１０であっても低コストで大量生産することができる。
【００９５】
また、第１の固定部材５１０は、第１の部材２００または第２の部材２１０と同一の色彩、模様または表面処理が施されているため、締結する部材の外観と調和の取れた外観を備える締結装置を実現することができる。
【００９６】
また、第１の部材２００は、光を透過する素材からなるものであってもよい。すなわち、透明または半透明の部材を締結する場合であっても、その外観を損ねることがないため、このような部材を多用することで装飾性やデザイン性を高めた製品を実現することができる。
【００９７】
また、本実施例に係る遊技台は、締結装置５００を備え、第１の固定部材５１０は、遊技者が視認可能な位置に配設され、第２の固定部材５２０は、遊技台の内側から第１の固定部材５１０と螺合しているため、遊技台の外観を損ねることがなく、さらに装飾性やデザイン性を高めることができる。
【００９８】
また、本実施例に係る遊技台は、複数種類の図柄が施された複数のリール１１０〜１１２と、複数のリール１１０〜１１２の回転を開始させるスタートスイッチ（本実施例では、スタートレバー）１３５と、複数のリール１１０〜１１２にそれぞれ対応して設けられ、複数のリール１１０〜１１２の回転を個別に停止させるストップスイッチ（本実施例では、ストップボタン）１３７〜１３９と、予め定められた複数種類の入賞役の内部当選の当否を抽選により判定する抽選手段（本実施例では、主制御部）３００と、停止時の前記複数のリール１１０〜１１２により表示された図柄の組合せが前記抽選手段３００により内部当選した入賞役の図柄組み合わせであるか否かによって、前記入賞役の入賞を判定する判定手段（本実施例では、主制御部）３００と、を備えるスロットマシン１００であるため、スロットマシン１００の外観を損ねることがなく、さらに装飾性やデザイン性を高めることができる。また、スロットマシンの部品を外部から取り外して不正行為を行うという問題があったが、第１の固定部材５１０は、工具用の十字溝等が形成されていないことから、スロットマシン１００に締結された部材を外部から取り外すことが困難となるため、不正行為を効果的に防止することができる。
【実施例２】
【００９９】
次に、本発明の実施例２に係る締結装置について説明する。本実施例に係る締結装置は、第１の固定部材６１０の頭部６１４に回転防止形状を備えたものであり、第２の固定部材は上記実施例１に係る第２の固定部材５２０と同一である。このため、以下、第１の固定部材６１０、第１の孔２０４および第２の孔２１４についてのみ説明する。
【０１００】
図９（ａ）および（ｂ）は、第１の固定部材６１０の斜視図であり、図９（ｃ）は、図２におけるＡ部を拡大した斜視図であり、図９（ｄ）は、図２におけるＢ部を拡大した斜視図であり、図９（ｅ）は、図２におけるＡ部を拡大した正面図であり、図９（ｆ）は、図２におけるＢ部を拡大した正面図である。
【０１０１】
第１の固定部材６１０は、図９（ａ）および（ｂ）に示されるように、胴部６１２と、頭部６１４と、ねじ穴部６１６とから構成されている。
【０１０２】
胴部６１２は、断面形状が略円形状の棒状の部分である。すなわち、胴部６１２は、回転防止形状を備えていない。
【０１０３】
頭部６１４は、胴部６１２の一端に設けられ、胴部６１２より幅広の略四角形盤状の部分である。すなわち、頭部６１４の略四角形状の断面形状は、第２の固定部材を第１の固定部材６１０に螺合させるときに、第１の固定部材６１０が、第２の固定部材と共に、化粧パネル２００およびカバー部材２１０に対して回転するのを防ぐための回転防止形状となっている。また、頭部６１４の外側端面は、上記実施例１と同様に、正面に向けて露出する部分であり、頭部６１４の内側端面は、締結時に化粧パネル２００をカバー部材２１０に向けて押圧する部分である。
【０１０４】
ねじ穴部６１６は、上記実施例１と同様に、胴部６１２の頭部６１４の反対側端面から頭部６１４に向けて形成された略円形断面の有底の穴であり、内周面にめねじが形成されている。このねじ穴６１６のめねじは、上記実施例１と同様に、第２の固定部材がねじ穴６１６に最初にねじ込まれたときに形成されるものであってもよい。
【０１０５】
第１の孔２０４は、図９（ｃ）または（ｅ）に示されるように、化粧パネル２００の正面から背面まで貫通した孔であり、互いに断面形状および断面積の異なる頭部収容部２０４ａおよび胴部挿通部２０４ｂからなる。
【０１０６】
頭部収容部２０４ａは、化粧パネル２００の正面側に形成された四角形断面の部分であり、第１の固定部材６１０の頭部６１４が略嵌合する断面形状に設定されている。これにより、頭部収容部２０４ａは、第１の固定部材６１０の頭部６１４を内部に収容すると共に、第２の固定部材を第１の固定部材６１０に螺合させるときに、第１の固定部材６１０が第２の固定部材と共に、化粧パネル２００およびカバー部材２１０に対して回転するのを防止するようになっている。すなわち、頭部収容部２０４ａは、第１の固定部材６１０の頭部６１４が備える回転防止形状に対応する回転防止形状を備えている。
【０１０７】
胴部挿通部２０４ｂは、化粧パネル２００の背面側に形成された円形断面の部分であり、第１の固定部材６１０の胴部６１２が挿通される部分である。この胴部挿通部２０４ｂの内径は、第１の固定部材６１０の胴部６１２の外径よりもやや大きめに設定されている。
【０１０８】
第２の孔２１４は、図９（ｄ）または（ｆ）に示されるように、カバー部材２１０の正面から背面まで貫通した孔であり、互いに断面形状および断面積の異なる胴部収容部２１４ａおよびおねじ挿通部２１４ｂからなる。
【０１０９】
胴部収容部２１４ａは、カバー部材２１０の正面側に形成された円形断面の部分であり、第１の固定部材６１０の胴部６１２が挿入されて収容される部分である。
【０１１０】
おねじ挿通部２１４ｂは、カバー部材２１０の背面側に形成された円形断面の部分であり、その内径は第２の固定部材の胴部よりもやや大きめに設定されている。
【０１１１】
このように、本実施例に係る締結装置は、第１の固定部材６１０の頭部６１４が回転防止形状を備えると共に、これに対応する回転防止形状を第１の孔２０４の頭部収容部２０４ａが備え、その他の部分は回転防止形状を備えない構成となっている。
【０１１２】
なお、本実施例においても、第１の固定部材６１０の頭部６１４が備える回転防止形状が四角形状に限定されるものではないことは、上記実施例１と同様である。また、第１の孔２０４の頭部収容部２０４ａが備える回転防止形状が、第１の固定部材６１０の頭部６１４が略嵌合する形状に限定されるものではないことは、上記実施例１と同様である。
【０１１３】
以上説明したように、本実施例に係る締結装置は、第１の固定部材６１０は、胴部６１２と、胴部６１２の一端に設けられて胴部６１２より幅広の頭部６１４と、からなり、第２の固定部材５２０は、頭部６１４の反対側から胴部６１２と螺合し、頭部６１４の外側端面は、第１の部材２００または第２の部材２１０のうち頭部６１４側に位置する方の表面と同一平面上に位置する締結装置であり、第１の回転防止形状は、頭部６１４に形成されているため、締結する部材の形状や材質等に合わせた最適な締結装置を実現し、かつ、締結する部材の外観を損ねないようにすることができる。
【実施例３】
【０１１４】
次に、本発明の実施例３に係る締結装置について説明する。本実施例に係る締結装置は、第１の固定部材７１０の胴部７１２および頭部７１４の両方に回転防止形状を備えたものであり、第２の固定部材は上記実施例１に係る第２の固定部材５２０と同一である。このため、以下、第１の固定部材７１０、第１の孔２０６および第２の孔２１６についてのみ説明する。
【０１１５】
図１０（ａ）および（ｂ）は、第１の固定部材７１０の斜視図であり、図１０（ｃ）は、図２におけるＡ部を拡大した斜視図であり、図１０（ｄ）は、図２におけるＢ部を拡大した斜視図であり、図１０（ｅ）は、図２におけるＡ部を拡大した正面図であり、図１０（ｆ）は、図２におけるＢ部を拡大した正面図である。
【０１１６】
第１の固定部材７１０は、図１０（ａ）および（ｂ）に示されるように、胴部７１２と、頭部７１４と、ねじ穴部７１６とから構成されている。
【０１１７】
胴部７１２は、断面形状が略四角形状の棒状の部分である。この略四角形状の断面形状は、第２の固定部材を第１の固定部材７１０に螺合させるときに、第１の固定部材７１０が、第２の固定部材と共に、化粧パネル２００およびカバー部材２１０に対して回転するのを防ぐための回転防止形状となっている。
【０１１８】
頭部７１４は、胴部７１２の一端に設けられ、胴部７１２より幅広の略四角形盤状の部分である。すなわち、頭部７１４の略四角形状の断面形状は、胴部７１２の断面形状と同様に、第１の固定部材７１０が回転するのを防ぐための回転防止形状となっている。また、頭部７１４の外側端面は、上記実施例１と同様に、正面に向けて露出する部分であり、頭部７１４の内側端面は、締結時に化粧パネル２００をカバー部材２１０に向けて押圧する部分である。
【０１１９】
ねじ穴部７１６は、上記実施例１と同様に、胴部７１２の頭部７１４の反対側端面から頭部７１４に向けて形成された略円形断面の有底の穴であり、内周面にめねじが形成されている。このねじ穴７１６のめねじは、上記実施例１と同様に、第２の固定部材がねじ穴７１６に最初にねじ込まれたときに形成されるものであってもよい。
【０１２０】
第１の孔２０６は、図１０（ｃ）または（ｅ）に示されるように、化粧パネル２００の正面から背面まで貫通した孔であり、互いに断面形状および断面積の異なる頭部収容部２０６ａおよび胴部挿通部２０６ｂからなる。
【０１２１】
頭部収容部２０６ａは、化粧パネル２００の正面側に形成された四角形断面の部分であり、第１の固定部材７１０の頭部７１４が略嵌合する断面形状に設定されている。これにより、頭部収容部２０６ａは、第１の固定部材７１０の頭部７１４を内部に収容すると共に、第２の固定部材を第１の固定部材７１０に螺合させるときに、第１の固定部材７１０が第２の固定部材と共に、化粧パネル２００およびカバー部材２１０に対して回転するのを防止するようになっている。すなわち、頭部収容部２０６ａは、第１の固定部材７１０の頭部７１４が備える回転防止形状に対応する回転防止形状を備えている。
【０１２２】
胴部挿通部２０６ｂは、化粧パネル２００の背面側に形成された四角形断面の部分であり、第１の固定部材７１０の胴部７１２が挿通される部分である。この胴部挿通部２０６ｂは、第１の固定部材７１０の胴部７１２が略嵌合する断面形状に設定されている。すなわち、胴部挿通部２０６ｂは、頭部収容部２０６ａと同様に、第１の固定部材７１０の胴部７１２が備える回転防止形状に対応する回転防止形状を備えている。
【０１２３】
第２の孔２１６は、図１０（ｄ）または（ｆ）に示されるように、カバー部材２１０の正面から背面まで貫通した孔であり、互いに断面形状および断面積の異なる胴部収容部２１６ａおよびおねじ挿通部２１６ｂからなる。
【０１２４】
胴部収容部２１６ａは、カバー部材２１０の正面側に形成された四角形断面の部分であり、第１の固定部材７１０の胴部７１２が挿入されて収容される部分である。この胴部収容部２１６ａは、第１の固定部材７１０の胴部５１２が略嵌合する断面形状に設定されている。すなわち、胴部収容部２１６ａは、第１の固定部材７１０の胴部７１２が備える回転防止形状に対応する回転防止形状を備えている。
【０１２５】
おねじ挿通部２１６ｂは、カバー部材２１０の背面側に形成された円形断面の部分であり、その内径は第２の固定部材の胴部よりもやや大きめに設定されている。
【０１２６】
このように、本実施例に係る締結装置は、第１の固定部材７１０の胴部７１２および頭部７１４が回転防止形状を備えると共に、これらに対応する回転防止形状を第１の孔２０６の頭部収容部２０６ａおよび胴部挿通部２０６ｂ、ならびに第２の孔２１６の胴部収容部２１６ａが備える構成となっている。
【０１２７】
なお、本実施例においても、第１の固定部材７１０の胴部７１２および頭部７１４が備える回転防止形状が四角形状に限定されるものではないことは、上記実施例１と同様である。また、第１の孔２０６の頭部収容部２０６ａおよび胴部挿通部２０６ｂ、ならびに第２の孔２１６の胴部収容部２１６ａが備える回転防止形状が、第１の固定部材７１０の頭部７１４または胴部７１２が略嵌合する形状に限定されるものではないことは、上記実施例１と同様である。
【０１２８】
以上説明したように、本実施例に係る締結装置は、第１の固定部材７１０は、胴部７１２と、胴部７１２の一端に設けられて胴部７１２より幅広の頭部７１４と、からなり、第２の固定部材５２０は、頭部７１４の反対側から胴部７１２と螺合し、頭部７１４の外側端面は、第１の部材２００または第２の部材２１０のうち頭部７１４側に位置する方の表面と同一平面上に位置する締結装置であり、第１の回転防止形状は、胴部７１２に形成され、かつ、第１の回転防止形状は、頭部７１４に形成されているため、締結する部材の形状や材質等に合わせた最適な締結装置を実現し、かつ、締結する部材の外観を損ねないようにすることができる。
【実施例４】
【０１２９】
次に、本発明の実施例４に係る締結装置について説明する。本実施例に係る締結装置は、上記実施例１に係る締結装置５００に溶着部５１８を備えたものであり、他の構造については上記実施例１に係る締結装置５００と同一である。このため、以下、第１の固定部材５１０および溶着部５１８についてのみ説明する。
【０１３０】
図１１（ａ）は、溶着部５１８を備える第１の固定部材５１０の斜視図であり、図１１（ｂ）および（ｃ）は、第１の固定部材５１０が化粧パネル２００の第１の孔２０２に挿入された様子を示す断面図である。
【０１３１】
図１１（ａ）に示されるように、溶着部５１８は、第１の固定部材５１０の頭部５１４の内側端面において胴部５１２の基端を囲むように環状に設けられている。この溶着部５１８は、本実施例では、熱可塑性樹脂により構成されている。そして、図１１（ｂ）に示されるように、第１の固定部材５１０を第１の孔２０２に挿入して、超音波溶着機等により第１の固定部材５１０に超音波振動と加圧力を加えることで、溶着部５１８が溶融し、図１１（ｃ）に示されるように、第１の固定部材５１０が化粧パネル２００に接着されるように構成されている。
【０１３２】
このように、溶着部５１８によって第１の固定部材５１０を化粧パネル２００に接着することにより、第１の固定部材５１０と第２の固定部材５２０を締結する際に、第１の固定部材５１０が脱落しないように保持する必要がなくなるため、スロットマシン１００の組立作業の作業性を向上させることができる。
【０１３３】
なお、溶着部５１８は、熱可塑性樹脂により構成されるものに限定されることはなく、接着剤、粘着剤または粘着テープ等により構成されるものであってもよい。
【０１３４】
また、溶着部５１８を設ける場所は、頭部５１４の内側端面に限定されるものではなく、その他の場所であってもよい。さらに、溶着部５１８によって第１の固定部材５１０と化粧パネル２００を接着するのではなく、第１の固定部材５１０とカバー部材２１０を接着するようにしてもよい。
【０１３５】
また、本実施例においても、第１の固定部材５１０の胴部５１２が備える回転防止形状が四角形状に限定されるものではないことは、上記実施例１と同様である。また、第１の孔２０２の胴部挿通部２０２ｂおよび第２の孔２１２の胴部収容部２１２ａが備える回転防止形状が、第１の固定部材５１０の胴部５１２が略嵌合する形状に限定されるものではないことは、上記実施例１と同様である。また、上記実施例２に係る第１の固定部材６１０または上記実施例３に係る第１の固定部材７１０に溶着部を備えるようにしてもよいことはいうまでもない。
【０１３６】
以上説明したように、本実施例に係る締結装置は、第１の固定部材５１０は、第１の部材２００または第２の部材２１０と溶着する溶着部を備えるため、第１の固定部材５１０を第１の部材２００または第２の部材２１０に接着した上で、締結作業を行うことが可能となり、作業性を向上させることができる。
【０１３７】
以上、本発明の各実施例について説明してきたが、本発明に係る締結装置および遊技台は、上記した実施の形態に限定されるものではなく、本発明の要旨を逸脱しない範囲内において種々の変形や変更を施すことができることはいうまでもない。例えば、上記各実施例において説明した締結装置５００その他は、遊技台の演出装置の化粧パネルおよびカバー部材を締結するものに限定されるものではなく、その他の２つの部材の締結、またはその他の複数の部材の締結に使用されるものであってもよい。
【０１３８】
また、上記各実施例において説明した締結装置５００その他を、遊技球を用いるパチンコ機に適用してもよい。すなわち、遊技領域が形成された遊技盤と、遊技球を発射するための操作を受け付ける発射ハンドル装置（操作ノブ）と、発射ハンドル装置で受け付けた操作に基づいて、遊技球を遊技領域に向けて弾発する発射装置と、発射された遊技球が所定の入賞口に入って入賞することにより、所定の特典を与える特典付与手段と、を備えるパチンコ機において、締結装置５００その他を使用して、各種部品等を取り付けるようにしてもよい。
【０１３９】
以下、パチンコ機について説明する。
【０１４０】
例えば、図１２に示すように、パチンコ機１１００は、遊技者が遊技球であるパチンコ玉の打ち出しを行なうためのハンドル１１０１、ハンドルに対する操作により打ち出されるパチンコ玉が導入される受皿１１０２、パチンコ玉が打ち出される円形の遊技領域１１０３を備える。そして、遊技領域１１０３の上方には複数の装飾部材１１０４が配設されており、締結装置５００は、これらの装飾部材１１０４を固定するのに使用されている。
【０１４１】
遊技領域１１０３には不図示の釘が配設され、遊技領域１１０３の上部から落下するパチンコ玉は釘に衝突して方向を変えながら遊技領域１１０３の下部へ落下する。遊技領域１１０３には入賞口１１０５が配設されており、入賞口１１０５へパチンコ玉が入球すると予め定めた特典が遊技者に付与される。
【０１４２】
本実施の形態では、この特典は大当たりの抽選の実行である。大当たりの抽選で当選すると遊技者には多数のパチンコ玉が払出されるチャンスが与えられる。また、遊技領域１１０３の中央には、図１に示した液晶表示装置２２０で構成されて遊技に関する各種の情報を表示する演出装置Ａ'が設けられている。演出装置Ａ'は、所定の図柄（識別情報）を変動表示する可変表示装置でもあり、すでに説明した上記実施の形態による演出画像を表示するのみならず、さらには上述の抽選で大当たりに当選したときには、特定の図柄による組合せ（大当たり図柄；例えば、７７７など）も表示する。なお、この演出装置Ａ'の各種部品を固定するのに締結装置５００を使用してもよい。
【０１４３】
図１３は、パチンコ機１１００の制御系の機能ブロック図である。パチンコ機１１００は、制御部１２００を有する。制御部１２００はＣＰＵ等の処理手段１２０１、乱数を発生する乱数発生手段１２０４、ＲＡＭ等の第１の記憶手段１２０２、及びＲＯＭ等の第２の記憶手段１２０３を有する。センサ１２０５は入賞口１１０５に設けられ、パチンコ玉の入球を検出するセンサである。その他のデバイス１２０６は、その他のデバイス（ランプ、パチンコ玉の払い出し装置等）を示している。
【０１４４】
処理手段１２０１は、大当たりの抽選の実行条件が成立したか否かを判定する。大当たりの抽選の実行条件は、センサ１２０５により入賞口１１０５にパチンコ玉が入球したことが検出された時に成立する。処理手段１２０１は、大当たりの抽選の実行条件が成立すると、乱数発生手段１２０４から乱数値を取得し、第１の記憶手段１２０２に記憶する。
【０１４５】
乱数値は、大当たりの抽選の実行条件の成立毎に予め定めた記憶上限回数を上限として順次記憶される。例えば、４回分の抽選結果が記憶される。４回分の乱数値が記憶されている場合、新たな乱数値は破棄される。処理手段１２０１は、第１の記憶手段１２０２に乱数値が記憶されていることを条件として、当該乱数値に基づき大当たりの抽選処理を行う。第１の記憶手段１２０２に複数回分の乱数値が記憶されている場合には、最も古いものから順番に選択する。
【０１４６】
抽選結果が大当たりの場合は、演出装置Ａ'が大当たりに対応した識別情報を表示し、ボーナスゲームが開始されて、遊技者には多数のパチンコ玉が払出されるチャンスが与えられる。
【０１４７】
以上説明したように、本発明に係る遊技台は、所定の入賞口１１０５を有する遊技領域１１０３を備え、所定の入賞口１１０５に遊技球が入球することによって、遊技者に所定の特典を与える遊技台であってもよい。すなわち、締結装置５００その他をパチンコ機に適用することで、パチンコ機の外観を損ねることがなく、さらに装飾性やデザイン性を高めることができる。また、パチンコ機の部品を外部から取り外して不正行為を行うという問題があったが、パチンコ機に締結された部材を外部から取り外すことが困難となるため、不正行為を効果的に防止することができる。
【産業上の利用可能性】
【０１４８】
本発明に係る締結装置およびこれを用いた遊技台は、複数の部材の締結の分野、およびスロットマシンやパチンコ機等に代表される遊技台の分野で特に利用することができる。
【図面の簡単な説明】
【０１４９】
【図１】本発明の実施例１に係るスロットマシン１００の外観斜視図である。
【図２】演出装置Ａの分解斜視図である。
【図３】主制御部３００を示す回路ブロック図である。
【図４】副制御部４００を示す回路ブロック図である。
【図５】（ａ）は化粧パネル２００およびカバー部材２１０を背面側から見た分解斜視図であり、（ｂ）は化粧パネル２００およびカバー部材２１０の正面図であり、（ｃ）は（ｂ）の一部を拡大した図である。
【図６】（ａ）および（ｂ）は第１の固定部材５１０の斜視図であり、（ｃ）は図２におけるＡ部を拡大した斜視図であり、（ｄ）は図２におけるＢ部を拡大した斜視図であり、（ｅ）は図２におけるＡ部を拡大した正面図であり、（ｆ）は図２におけるＢ部を拡大した正面図である。
【図７】図５（ｃ）におけるＣ−Ｃ線断面図である。
【図８】（ａ）〜（ｈ）第１の固定部材５１０の胴部５１２のその他の断面形状を示した図である。
【図９】（ａ）および（ｂ）は実施例２に係る第１の固定部材６１０の斜視図であり、（ｃ）は図２におけるＡ部を拡大した斜視図であり、（ｄ）は図２におけるＢ部を拡大した斜視図であり、（ｅ）は図２におけるＡ部を拡大した正面図であり、（ｆ）は図２におけるＢ部を拡大した正面図である。
【図１０】（ａ）および（ｂ）は実施例３に係る第１の固定部材７１０の斜視図であり、（ｃ）は図２におけるＡ部を拡大した斜視図であり、（ｄ）は図２におけるＢ部を拡大した斜視図であり、（ｅ）は図２におけるＡ部を拡大した正面図であり、（ｆ）は図２におけるＢ部を拡大した正面図である。
【図１１】（ａ）は実施例４に係る溶着部５１８を備える第１の固定部材５１０の斜視図であり、（ｂ）および（ｃ）は第１の固定部材５１０が化粧パネル２００の第１の孔２０２に挿入された様子を示す断面図である。
【図１２】パチンコ機１１００の外観斜視図である。
【図１３】パチンコ機１１００の制御系の機能ブロック図である。
【符号の説明】
【０１５０】
１００・・・スロットマシン
１１０、１１１、１１２・・・リール
１３５・・・スタートレバー
１３７、１３８、１３９・・・ストップボタン
２００・・・化粧パネル
２０２・・・第１の孔
２１０・・・カバー部材
２１２・・・第２の孔
３００・・・主制御部
５００・・・締結装置
５１０、６１０、７１０・・・第１の固定部材
５１２、６１２、７１２・・・胴部
５１４、６１４、７１４・・・頭部
５１６、６１６、７１６・・・ねじ穴部
５１８・・・溶着部
５２０・・・第２の固定部材
１１００・・・パチンコ機
１１０３・・・遊技領域
１１０５・・・入賞口
【図１】
2008295508.tif 000003
【図２】
2008295508.tif 000004
【図３】
2008295508.tif 000005
【図４】
2008295508.tif 000006
【図５】
2008295508.tif 000007
【図６】
2008295508.tif 000008
【図７】
2008295508.tif 000009
【図８】
2008295508.tif 000010
【図９】
2008295508.tif 000011
【図１０】
2008295508.tif 000012
【図１１】
2008295508.tif 000013
【図１２】
2008295508.tif 000014
【図１３】
2008295508.tif 000015